(57)【要約】【課題】電荷の作用により画像の書き込みや消去が可能な媒体本体を挟むように媒体本体の両面に電極を形成する記録媒体において、下部電極又は上部電極の少なくともいずれか一方を媒体本体と離間させて配置することにより、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像品質の信頼性に優れた記録媒体の提供。【解決手段】下部電極又は上部電極の少なくともいずれか一方と、媒体本体と、の間に配設され媒体本体と下部電極又は上部電極とを離間させたスペーサを備えている。【選択図】図１
2008165073.tif 000002
【特許請求の範囲】
【請求項１】
電荷の作用により画像の書き込みや消去が行われる媒体本体と、前記媒体本体の下面に所定のパターンで形成された下部電極と、前記媒体本体の上面に所定のパターンで形成された上部電極と、前記下部電極又は前記上部電極に形成された電荷注入部と、前記上部電極又は前記下部電極に形成された電極端子と、を備え、前記電荷注入部に電子やイオンが照射され電荷が注入されることにより画像の書き込みや消去が行われる記録媒体であって、前記下部電極又は前記上部電極の少なくともいずれか一方と、前記媒体本体と、の間に配設され前記媒体本体と前記下部電極又は前記上部電極とを離間させたスペーサを備えたことを特徴とする記録媒体。
【請求項２】
前記電極端子に接続され前記下部電極又は前記上部電極への接地又は電圧印加を制御する媒体側電圧制御用ＩＣを備えたことを特徴とする請求項１に記載の記録媒体。
【請求項３】
前記電荷注入部が、前記媒体本体の画像表示領域外の領域に配設されていることを特徴とする請求項１又は２に記載の記録媒体。
【請求項４】
電荷の作用により画像の書き込みや消去が行われる媒体本体と、前記媒体本体の下面に所定のパターンで形成された下部電極と、前記媒体本体の上面に所定のパターンで形成された上部電極と、前記下部電極及び前記上部電極のそれぞれに少なくとも１以上形成された電荷注入部と、を備え、前記下部電極に接続された電荷注入部と前記上部電極に接続された電荷注入部にそれぞれ逆極性のイオンが照射され電荷が注入されることにより画像の書き込みや消去が行われる記録媒体であって、前記下部電極又は前記上部電極の少なくともいずれか一方と、前記媒体本体と、の間に配設され前記媒体本体と前記下部電極又は前記上部電極とを離間させたスペーサを備えたことを特徴とする記録媒体。
【請求項５】
前記電荷注入部が、前記媒体本体の画像表示領域外の領域に配設されていることを特徴とする請求項４に記載の記録媒体。
【請求項６】
前記下部電極に接続された少なくとも１以上の電荷注入部と、前記上部電極に接続された少なくとも１以上の電荷注入部が、前記媒体本体の外周側の一辺乃至四辺の少なくとも１箇所以上に直列又は並列に配置されていることを特徴とする請求項４に記載の記録媒体。
【請求項７】
前記下部電極又は前記上部電極の少なくとも一方に対応する電子放出部位を有し前記電荷注入部に対向して配置された放電電極と、前記放電電極に接続された放電制御電圧入力用端子と、を備えたことを特徴とする請求項３又は５に記載の記録媒体。
【請求項８】
前記放電電極に覆設された放電電極保護層と、前記放電電極保護層に前記電子放出部位に対応して配設された放電電極加熱部と、を備えたことを特徴とする請求項７に記載の記録媒体。
【請求項９】
前記放電電極加熱部に接続され前記放電電極加熱部による前記放電電極の加熱を制御する加熱制御用ＩＣを備えたことを特徴とする請求項８に記載の記録媒体。
【請求項１０】
前記電荷注入部の表面に形成された抵抗層を備えたことを特徴とする請求項３又は５に記載の記録媒体。
【請求項１１】
前記媒体本体に積層された媒体加熱層を備えていることを特徴とする請求項１乃至１０の内いずれか１項に記載の記録媒体。
【請求項１２】
前記下部電極と、前記上部電極と、の間を短絡する電極短絡部を備えたことを特徴とする請求項１乃至１１の内いずれか１項に記載の記録媒体。
【請求項１３】
前記下部電極及び前記上部電極に覆設された電極保護層と、前記電極保護層に覆設された画像保護層と、を備えたことを特徴とする請求項１乃至１２の内いずれか１項に記載の記録媒体。
【請求項１４】
前記両面の画像保護層を電気的に接続した導通部を備えたことを特徴とする請求項１３に記載の記録媒体。
【請求項１５】
前記下部電極又は前記上部電極が、前記媒体本体の行方向に短冊状に分割されて形成され、前記上部電極又は前記下部電極が、前記媒体本体の列方向に短冊状に分割されて形成されていることを特徴とする請求項１乃至１４の内いずれか１項に記載の記録媒体。
【請求項１６】
前記下部電極又は前記上部電極のいずれか一方が、表示画像のセグメント単位に分割されて形成されていることを特徴とする請求項１乃至１４の内いずれか１項に記載の記録媒体。
【請求項１７】
前記下部電極又は前記上部電極の少なくともいずれか一方が透明に形成され、前記媒体本体にカラーフィルタ又はカラー反射層が積層されていることを特徴とする請求項１乃至１６の内いずれか１項に記載の記録媒体。
【請求項１８】
複数の表示原色の内のいずれか一色を選択的に表示可能な画像表示材料が、前記媒体本体に前記表示原色の色毎に縞模様状に配置されたことを特徴とする請求項１５に記載の記録媒体。
【発明の詳細な説明】
【技術分野】
【０００１】
本発明は、画像表示領域外の領域から電子やイオンを照射して電荷を注入することにより、画像表示領域での画像の書き込みや消去が行われる記録媒体に関する。
【背景技術】
【０００２】
一般的にデジタルペーパと称される記録媒体として、微小なボールを二色（例えば白黒）に色分けし、各色毎の電気特性の違いによりボールを回転して任意の一色を表示するツイストボール方式、微小なボール中に二色（例えば白黒）の微粉末を混入し、各色の微粉末が持つ電気特性の違いにより一色のみを浮上させて表示する電気泳動方式、液晶板あるいは微小な液晶ブロックの液晶シャッターを開閉して、シャッターを開けた部分の背景色を表示する液晶方式等が開発されている。
また、これらの記録媒体には、表面に電子やイオンを照射して電荷を付与することにより非接触で静電潜像を形成できるので、様々なイオンフロー方式の印字ヘッドを用いた画像形成方法及び画像形成装置についても検討がなされている。
【０００３】
例えば、（特許文献１）には、「可視情報を繰り返し記録及び消去可能な可逆表示素子を有する可逆記録表示媒体と、可逆記録表示媒体に可視情報を記録する記録手段と、記録された可視情報を消去する消去手段とを備えた書換装置において、前記記録手段は、可逆記録表示媒体に静電荷像を形成する手段からなることを特徴とする可逆記録表示媒体の書換装置」が開示されている。
しかしながら、（特許文献１）の書換装置は、静電荷像を形成する手段としてコロナ放電等によるイオン流を制御して媒体に照射するものや、マルチスタイラスによる書き込み、マスクとコロトロンとの組合せによる方法等を用いているが、高画質化、カラー化を図るためには、記録媒体との位置合わせやイオン照射のタイミング等の制御に高い精度が要求され、高画質化、カラー化が困難であるという課題を有していた。また、記録媒体の表面にイオンを照射して静電荷像を形成しているため、静電気等の外乱によって画像の乱れが発生し易く、画像品質の信頼性に欠けるという課題を有していた。
【０００４】
次に、（特許文献２）には、「表示媒体と書き込み装置は少なくとも書き込み時には近接させられるように着脱が可能であり、しかも該書き込み装置は画像信号に応じて該表示媒体に電荷を付与させることができ、かつ該表示媒体との平面位置関係を相対的に変えうる機構を有するイオン銃アレイを具備していることを特徴とする書き込み装置」が開示されている。
しかしながら、（特許文献２）の書き込み装置は、イオン銃アレイと表示媒体との平面位置関係を相対的に変えながら、画像信号に応じて該表示媒体に電荷を付与させるものであるため、（特許文献１）と同様に高画質化、カラー化を図るためには、初期状態でのイオン銃アレイと表示媒体との位置合わせやイオン照射のタイミング等の制御に高い精度が要求され、高画質化、カラー化が困難であるという課題を有していた。
また、（特許文献１）、（特許文献２）の装置では、媒体とヘッドを相対的に移動させながら所望の位置に画像を書き込む必要があるため、駆動装置が複雑で取り扱い性に欠けるという課題を有していた。また、媒体とヘッドを相対的に移動させるため、ヘッドの汚れや媒体の傷或いは汚れが発生し易く、画像品質の信頼性に欠けるという課題を有していた。
さらに、記録媒体自体にＴＦＴ回路や制御用ＩＣ等を搭載したものも開発されてきているが、コストが高く量産性、信頼性に欠けると共に、サイズが大型化し、取り扱い性に欠けるという課題を有していた。
【０００５】
そこで、本願出願人はこれらの課題を解決するために、鋭意、検討を行い（特許文献３）を出願した。
（特許文献３）には、「電荷の作用により画像の書き込みや消去が行われる媒体本体と、媒体本体の下面に所定のパターンで形成された下部電極と、媒体本体の上面に所定のパターンで形成された上部電極と、下部電極又は上部電極に形成された電荷注入部と、上部電極又は下部電極に形成された電極端子と、を備え、電荷注入部に電子やイオンが照射され電荷が注入されることにより画像の書き込みや消去が行われることを特徴とする記録媒体。」が開示されている。
（特許文献３）は、電荷の作用により画像の書き込みや消去が可能な媒体本体を挟むように媒体本体の両面に電極を形成することにより、電子やイオンを照射して電荷を注入し、媒体本体の両面に形成された電極の任意の交差位置で選択的に電位差を生じさせ、画像の書き込みや消去を行うことができるので、電子やイオンの照射位置の位置合わせが不要で、高品質な画像を形成することができ、カラー化が容易であると共に、画像表示領域において電極が表面に露出せず、電極を保護することができ耐久性に優れ、画像形成後は無電源で画像を表示することができ省エネルギー性に優れ、環境の変化や冬場などの静電気等の影響によって画像が乱れることを防止できる画像品質の安定性に優れた記録媒体である。
【特許文献１】特開２０００−８５１７５号公報
【特許文献２】特開２０００−２３１１２６号公報
【特許文献３】ＰＣＴ／ＪＰ２００６／３１００１３号
【発明の開示】
【発明が解決しようとする課題】
【０００６】
（特許文献３）の記録媒体においては、例えば、下部電極及び上部電極をそれぞれ短冊状に分割して形成し、媒体本体の両面に互いに直交するように配置した場合、下部電極と上部電極が交差する位置で、媒体本体に電荷を作用させることができ、任意の画像を表示させることができる。つまり、下部電極及び上部電極をそれぞれ短冊状に分割して形成することにより、任意の下部電極及び上部電極に選択的に電荷を注入してマトリックス駆動を行うものである。
しかしながら、媒体本体と下部電極及び上部電極が接触しているため、１つの下部電極或いは上部電極に選択的に電荷を注入した場合でも、その電荷が、隣接する下部電極或いは上部電極にも影響を及ぼし、クロストークが発生して画像が滲み、画像品質が低下してしまうという課題を有していた。
このようなクロストークの問題は、（特許文献３）の記録媒体に限らず、媒体本体に形成した下部電極と上部電極によってマトリックス駆動を行うものにおいて、共通の重大な課題であり、その改善が望まれていた。
【０００７】
本発明は上記課題を解決するもので、電荷の作用により画像の書き込みや消去が可能な媒体本体を挟むように媒体本体の両面に電極を形成する記録媒体において、下部電極又は上部電極の少なくともいずれか一方を媒体本体と離間させて配置することにより、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像品質の信頼性に優れた記録媒体の提供を目的とする。
【課題を解決するための手段】
【０００８】
上記課題を解決するために本発明の記録媒体は、以下の構成を有している。
本発明の請求項１に記載の記録媒体は、電荷の作用により画像の書き込みや消去が行われる媒体本体と、前記媒体本体の下面に所定のパターンで形成された下部電極と、前記媒体本体の上面に所定のパターンで形成された上部電極と、前記下部電極又は前記上部電極に形成された電荷注入部と、前記上部電極又は前記下部電極に形成された電極端子と、を備え、前記電荷注入部に電子やイオンが照射され電荷が注入されることにより画像の書き込みや消去が行われる記録媒体であって、前記下部電極又は前記上部電極の少なくともいずれか一方と、前記媒体本体と、の間に配設され前記媒体本体と前記下部電極又は前記上部電極とを離間させたスペーサを備えている構成を有している。
この構成により、以下のような作用を有する。
（１）電荷の作用により画像の書き込みや消去が行われる媒体本体の下面に所定のパターンで下部電極が形成され、上面に所定のパターンで上部電極が形成されると共に、下部電極又は上部電極の一方に電荷注入部が形成されているので、電子やイオンを照射可能な印字ヘッドなどを電荷注入部に対向させて配置し、電荷注入部に選択的に電子やイオンを照射して電荷を注入することにより、画像の書き込みや消去を行うことができ、印字ヘッドの位置決めや走査等が不要で画像形成の工程及び画像形成装置の機構を簡素化することができ取扱い性に優れる。
（２）媒体本体の両面に予め所定のパターンで形成された下部電極と上部電極が配設されているので、下部電極又は上部電極の一方に形成された電荷注入部から電荷を注入し、下部電極又は上部電極の他方に形成された電極端子への接地若しくは電圧印加を行うことにより、下部電極と上部電極が交差する位置に確実に電位差を発生させて画像を形成することができ、画像の位置ずれが発生することがなく、画像品質の信頼性に優れる。
（３）電荷注入部から注入される電荷と逆極性の電圧を電極端子に印加することにより、下部電極と上部電極が交差する位置で確実に媒体本体の表裏に電位差を発生させることができ、高品質な画像を形成することができる。
（４）媒体本体の表裏に電荷が溜まった状態で保持されるので、画像形成後は無電源で画像を表示することができ省エネルギー性に優れると共に、静電気等の影響によって画像が乱れることを防止でき画像品質の安定性に優れる。
（５）印字ヘッドと記録媒体を相対的に移動させる必要がないので、印字ヘッドの汚れや記録媒体の傷或いは汚れが発生し難く、画像品質の信頼性、記録媒体の耐久性に優れる。
（６）下部電極又は上部電極の少なくともいずれか一方と、媒体本体と、の間に配設され媒体本体と下部電極又は上部電極とを離間させたスペーサを備えているので、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができ、画像品質の信頼性に優れる。
【０００９】
ここで、この記録媒体の媒体本体は、電荷の作用により画像が形成されるものであればよい。媒体本体に、透過型のネマティック液晶やスメクティック液晶等の液晶材料を用いた液晶方式或いは白色又は黒色を選択的に表示可能なツイストボール方式，電気泳動方式，粉体移動方式等の画像表示材料が封入されたものが好適に用いられる。
これらの媒体本体に、加法混色法における三原色（Ｒ，Ｇ，Ｂ）を持つカラーフィルタや減法混色法における三原色（Ｙ，Ｍ，Ｃ）を持つカラー反射層を組み合わせることによりカラー表示を行うことができる。また、カラーフィルタ等を組み合わせる代わりに、減法混色法における三原色（Ｙ，Ｍ，Ｃ）等に着色したツイストボールや微粒子等の画像表示材料を表示原色の色毎に配列してカラー表示を行うこともできる。また、１枚の媒体本体を複数の領域に分割し、領域毎に異なる色を表示するようにしてもよい。
【００１０】
下部電極及び上部電極のパターンは、表示する画像の種類に応じて適宜、選択することができる。表示画像が、予め決められた文字や数字などの場合は、下部電極又は上部電極のいずれか一方を文字や数字を構成するセグメント単位に分割して形成し、他方は画像表示領域に共通の平板電極とすればよい。また、下部電極及び上部電極をそれぞれ短冊状に分割して形成し、媒体本体の両面に互いに直交するように配置した場合、下部電極と上部電極が交差する位置を選択して任意の画像を表示させることができる。
電荷注入部は、下部電極及び上部電極の端部や途中に形成することができ、媒体本体の画像表示領域内、画像表示領域外のいずれに配置してもよい。電荷注入部を画像表示領域内に配置する場合は、下部電極及び上部電極の一部が電荷注入部となる。また、電荷注入部を画像表示領域外に配置する場合は、下部電極及び上部電極の端部や途中から延設して形成することができる。特に、下部電極又は上部電極がセグメント単位で形成されている際には、セグメント単位で形成された下部電極又は上部電極と電荷注入部の間を接続する接続部（延設部）を細線で形成する。これにより、画像表示領域内に形成される接続部が画像表示の妨げとなることはなく、所定の文字や数字を確実に表示することができる。
【００１１】
スペーサは、媒体本体と下部電極或いは上部電極との間の隙間を略一定に保って下部電極或いは上部電極を保持することができるものであればよく、フォトレジスト等により形成することができる。スペーサは媒体本体と下部電極或いは上部電極の間を各画素に対応するマトリックス状の放電空間に分割するように配置してもよいし、複数の画素を行単位又は列単位の放電空間に分割するように配置してもよい。尚、媒体本体と下部電極或いは上部電極との間の隙間は１０μｍ〜２００μｍが好ましい。隙間が１０μｍより狭くなるにつれ、放電空間を確保することができず、クロストークの改善効果が低下し易くなる傾向があり、２００μｍより広くなるにつれ、放電の発生効率が低下し、下部電極或いは上部電極に注入する電荷量を増大させる必要があり、省エネルギー性が低下し易くなる傾向があり、いずれも好ましくない。
【００１２】
下部電極及び上部電極の外表面に電極保護層を形成することにより、下部電極及び上部電極を保護することができ、隣接する電極が導通することを防止できる。
電極保護層の材質としては、ガラスやアラミド、ポリイミド、ＰＥＴ、ポリアミド等の合成樹脂等が好適に用いられる。それらの板材やシートに先に下部電極や上部電極をスクリーン印刷、蒸着、スパッタ、エッチング等により形成した後、媒体本体を両側から挟むか、下層から順次積層してこの記録媒体を形成することができる。
尚、電極保護層が、１０12Ω・ｃｍ〜１０14Ω・ｃｍの抵抗値を有する場合には、電極保護層で覆われた下部電極や上部電極にも電荷を注入することができるので、画像表示領域外に露出させて電荷注入部を形成する必要はない。
下部電極又は上部電極のいずれか一方の配置に対応させて、カラーフィルタやカラー反射層若しくは着色されたツイストボールや微粒子の表示原色を縞状に配置することにより、色ずれのない高品質なカラー画像を得ることができる。
【００１３】
電極端子を媒体本体の画像表示領域外の領域に配置することにより、電極端子を画像形成装置などのコネクタに挿通することができ、簡便に電極端子を介して下部電極又は上部電極との導通を取ることができ、下部電極又は上部電極への選択的な接地や電圧印加を確実に行うことができ取り扱い性に優れる。
尚、この記録媒体に画像を形成するための印字ヘッドは、電荷注入部に対して選択的に電子又はイオンを照射することができるものであればよく、ワイヤ電極や針電極等に高電圧を印加してコロナ放電を発生させるもの、電極を加熱して熱電子を放出させるもの、電極に印加する電圧と電極の温度を制御して電子やイオンを照射する加熱放電型印字ヘッド（例えば特開２００３−３２６７５６号やＷＯ２００５／０５６２９７号）等を用いることができる。
また、ＳＥＤ（表面電界ディスプレイ）に使用される電子放出デバイスや、ＦＥＤ（電界放出型ディスプレイ）に使用される電子放出デバイス、電子放出部にカーボンナノチューブを使用したカーボンナノチューブＦＥＤも用いることができる。これらの場合、アノード電極の電圧が高ければ、真空中でなくとも放出された電子及びイオン化された物質により電荷注入部に電荷を注入できる。このとき、電荷注入部がアノード電極として働くが、アノード電圧は媒体本体を介して反対側の面に形成された電極に印加される。
【００１４】
請求項２に記載の発明は、請求項１に記載の記録媒体であって、前記電極端子に接続され前記下部電極又は前記上部電極への接地又は電圧印加を制御する媒体側電圧制御用ＩＣを備えた構成を有している。
この構成により、請求項１の作用に加え、以下のような作用を有する。
（１）電極端子に接続され下部電極又は上部電極への接地又は電圧印加を制御する媒体側電圧制御用ＩＣを備えることにより、画像データに基づいて選択的に下部電極又は上部電極への接地又は電圧印加を行うことができ、電荷注入部への電荷の注入と下部電極又は上部電極への接地又は電圧印加のタイミングを容易に同期させることができ取り扱い性に優れる。
ここで、媒体側電圧制御用ＩＣは、画像データに基づいて選択的に下部電極又は上部電極への接地又は電圧印加を行うことができるものであればよい。
【００１５】
請求項３に記載の発明は、請求項１又は２に記載の記録媒体であって、前記電荷注入部が、前記媒体本体の画像表示領域外の領域に配設されている構成を有している。
この構成により、請求項１又は２の作用に加え、以下のような作用を有する。
（１）電荷注入部が、媒体本体の画像表示領域外の領域に配設されていることにより、画像表示領域外の領域から電荷を注入して画像の書き込みや消去を行うことができ、媒体本体の画像表示領域を有効に利用することができる。
ここで、画像の書き込みや消去を行うための印字ヘッドなどを画像表示領域外の領域に配置することができるので、常に画像表示領域全体で画像を表示することができ、記録媒体を画像表示装置の表示部として好適に用いることができる。
【００１６】
本発明の請求項４に記載の記録媒体は、電荷の作用により画像の書き込みや消去が行われる媒体本体と、前記媒体本体の下面に所定のパターンで形成された下部電極と、前記媒体本体の上面に所定のパターンで形成された上部電極と、前記下部電極及び前記上部電極のそれぞれに少なくとも１以上形成された電荷注入部と、を備え、前記下部電極に接続された電荷注入部と前記上部電極に接続された電荷注入部にそれぞれ逆極性のイオンが照射され電荷が注入されることにより画像の書き込みや消去が行われる記録媒体であって、前記下部電極又は前記上部電極の少なくともいずれか一方と、前記媒体本体と、の間に配設され前記媒体本体と前記下部電極又は前記上部電極とを離間させたスペーサを備えている構成を有している。
この構成により、請求項１の（４）乃至（６）の作用に加え、以下のような作用を有する。
（１）電荷の作用により画像の書き込みや消去が行われる媒体本体の下面に所定のパターンで下部電極が形成され、上面に所定のパターンで上部電極が形成されると共に、下部電極及び上部電極のそれぞれに１以上の電荷注入部が形成されているので、負又は正のイオンを照射可能な印字ヘッドなどを電荷注入部に対向させて配置し、下部電極に接続された電荷注入部と上部電極に接続された電荷注入部にそれぞれ選択的に逆極性のイオンを照射して電荷を注入することにより、画像の書き込みや消去を行うことができ、印字ヘッドの位置決めや走査等が不要で画像形成の工程を簡素化することができ生産性に優れる。
（２）媒体本体の両面に予め所定のパターンで形成された下部電極と上部電極が配設されているので、下部電極及び上部電極のそれぞれに１以上形成された電荷注入部から逆極性の電荷を注入することにより、下部電極と上部電極が交差する位置に確実に電位差を発生させて画像を形成することができ、画像の位置ずれが発生することがなく、画像品質の信頼性に優れる。
【００１７】
ここで、この記録媒体は、下部電極及び上部電極の両方に電荷注入部が形成され、電極端子が形成されていない点以外は請求項１と同様である。
下部電極及び上部電極のそれぞれに１以上ずつ接続された電荷注入部の取り出し位置は任意に選択することができる。下部電極及び上部電極のそれぞれに１つずつ電荷注入部を設ける場合は、２つの電荷注入部を媒体本体の一辺側に直列又は並列に並べて配置したり、直交する二辺側や対向する二辺側に１つずつ配置したりできる。
下部電極及び上部電極の両端側にそれぞれ電荷注入部を設けた場合、合計４つの電荷注入部は、媒体本体の一辺乃至四辺のいずれか１箇所以上に任意の組合せで配置することができる。例えば、一辺に１つずつ配置してもよいし、直交する二辺や対向する二辺に２つずつ直列又は並列に並べて配置してもよい。特に、一辺に１つずつ配置した場合、放熱性に優れ好ましい。
尚、下部電極及び上部電極に２つずつの電荷注入部を設けた場合、下部電極及び上部電極のそれぞれについていずれか１つの電荷注入部を選択して電荷を注入することができるので、記録媒体の向きを気にせずに使用することができ、取扱い性、汎用性に優れる。
【００１８】
請求項５に記載の発明は、請求項４に記載の記録媒体であって、前記電荷注入部が、前記媒体本体の画像表示領域外の領域に配設されている構成を有している。
この構成により、請求項４の作用に加え、以下のような作用を有する。
（１）電荷注入部が、媒体本体の画像表示領域外の領域に配設されていることにより、媒体本体の画像表示領域を有効に利用することができ、画像の書き込みや消去の工程を全て画像表示領域外から行うことができ、画像形成装置の構造を簡素化することができ、取り扱い性に優れる。
【００１９】
請求項６に記載の発明は、請求項４に記載の記録媒体であって、前記下部電極に接続された少なくとも１以上の電荷注入部と、前記上部電極に接続された少なくとも１以上の電荷注入部が、前記媒体本体の外周側の一辺乃至四辺の少なくとも１箇所以上に直列又は並列に配置されている構成を有している。
この構成により、請求項４の作用に加え、以下のような作用を有する。
（１）下部電極に接続された少なくとも１以上の電荷注入部と、上部電極に接続された少なくとも１以上の電荷注入部が、媒体本体の外周側の一辺乃至四辺の少なくとも１箇所以上に直列又は並列に配置されているので、各々の電荷注入部に電荷の注入を行う印字ヘッドなどを電荷注入部の配置に合わせて媒体本体の外周側にまとめて直列や並列に並べて配置することができ、画像形成装置のコンパクト化を図ることができる。
【００２０】
請求項７に記載の発明は、請求項３又は５に記載の記録媒体であって、前記下部電極又は前記上部電極の少なくとも一方に対応する電子放出部位を有し前記電荷注入部に対向して配置された放電電極と、前記放電電極に接続された放電制御電圧入力用端子と、を備えた構成を有している。
この構成により、請求項３又は５の作用に加え、以下のような作用を有する。
（１）下部電極又は上部電極の少なくとも一方に対応する電子放出部位を有し電荷注入部に対向して配置された放電電極を有するので、放電電極に放電制御電圧を印加し、加熱手段により放電電極を選択的に加熱することにより、放電電極から電荷注入部に対して電子やイオンを照射することができ、電荷を注入することができる。
（２）下部電極又は上部電極の少なくとも一方に対応する電子放出部位を有する放電電極が、予め電荷注入部に対向して媒体本体と一体に形成されているので、画像形成装置には加熱手段のみを設ければよく、画像形成装置の小型化、機構の簡素化を図ることができ、取扱い性に優れる。
（３）放電電極に接続された放電制御電圧入力用端子を有するので、画像形成装置から放電電極に対して簡便に放電制御電圧を印加することができ、取扱い性に優れる。
【００２１】
ここで、放電制御電圧とは、その電位差だけでは放電電極と電荷注入部との間で放電は起こらないが、放電電極を加熱することにより放電が起こる電圧域を言う。また、ここでの放電とは放電電極から電子が放出されることを言う。放電電極と電荷注入部が離間して形成された放電空間が、大気等のイオン生成可能な雰囲気である場合には、放出された電子が酸素や窒素をイオン化し、それらを媒体本体の電荷注入部に到達させることができ、多量のイオンで効率的に電荷を注入することができる。
放電電極に印加する放電制御電圧としては様々な波形を選択することができ、三角波、矩形波、台形波、ｓｉｎ波等を単独で或いは組合せて用いたり、さらにこれらに直流電圧や交流電圧を重畳したりできる。例えば、放電制御電圧印加工程において、放電電極に交流電圧のみを印加すると正負のイオンが生成される。そこで、負のイオンのみを選別するには交流電圧に負の直流電圧を重畳し、正のイオンのみを選別するには交流電圧に正の直流電圧を重畳したものを放電電極に印加する。
【００２２】
放電電極と電荷注入部との間にスペーサを配設することにより、電荷注入部と放電電極の間に放電空間を形成することができる。スペーサは、電荷注入部と放電電極との間の隙間を略一定に保って放電電極を保持することができるものであればよく、フォトレジスト等により形成することができる。スペーサは電荷注入部と放電電極の間に１つの共通な放電空間を形成するように電荷注入部の外周に配置してもよいし、電荷注入部と放電電極の間を下部電極又は上部電極のパターンに対応させて複数の放電空間に分割するように配置してもよい。
下部電極又は上部電極の一方のみに電荷注入部及び放電電極が形成され、他方に電極端子が形成されている場合、放電電極からの電荷の注入と共に電極端子への接地又は電圧印加を行うが、電極端子に印加する電圧の極性を放電電極に印加する放電制御電圧の極性と逆極性にすることで、下部電極と上部電極が交差する（重なる）位置に確実に電位差を発生させて画像を形成することができる。
下部電極及び上部電極の両方に電荷注入部及び放電電極が形成されている場合、各々の放電電極に印加する放電制御電圧を互いに逆極性の電荷を発生させる電圧にすることで、一方の放電電極からは正イオン、他方の放電電極からは負イオンが照射されるので、下部電極と上部電極に逆極性の電荷を注入することができ、下部電極と上部電極が交差する（重なる）位置に確実に電位差を発生させて画像を形成することができる。
【００２３】
放電電極を加熱するための加熱手段としては、レーザ光を照射する方式や赤外線を照射する方式等が好適に用いられる。レーザ光を照射する方式としては、従来の電子写真方式と同様のレーザスキャナユニットを用いることができ、レーザ照射部にポリゴンミラー又はガルバノミラーを組合せて放電電極に対してレーザ光のみをスキャンさせるもの、放電電極に対してレーザ照射部自体をシリアル走査させるもの等が好適に用いられる。また、レーザ光や赤外線を光ファイバーや集光レンズで集光して放電電極に照射してもよい。特に多本数の光ファイバーを高密度かつ高精度に配列した光ファイバーアレイを用いた場合、同時に複数の電子放出部位に対し、レーザ光や赤外線を選択的に照射することができ、高速記録が可能である。
【００２４】
請求項８に記載の発明は、請求項７に記載の記録媒体であって、前記放電電極に覆設された放電電極保護層と、前記放電電極保護層に前記電子放出部位に対応して配設された放電電極加熱部と、を備えた構成を有している。
この構成により、請求項７の作用に加え、以下のような作用を有する。
（１）放電電極に覆設された放電電極保護層を有するので、電圧が印加される放電電極と放電電極加熱部とを確実に絶縁することができると共に、放電電極加熱部と放電電極保護層を密着させて放電電極加熱部の発する熱を効率的に放電電極に伝達することができ、放電電極加熱部に対応する任意の電子放出部位を選択的に加熱して放電を発生させることができる。
（２）放電電極と共に放電電極を選択的に加熱するための放電電極加熱部が、媒体本体と一体に形成されているので、電子やイオンの照射位置精度を向上させることができ、高精細な画像を形成することができる。
（３）媒体本体が放電電極加熱部を有するので、画像形成装置には加熱手段を設ける必要がなく、画像形成装置の小型化、機構の簡素化を図ることができ、取扱い性に優れる。
【００２５】
ここで、放電電極保護層の材質としては、絶縁性及び放電電極加熱部による加熱に耐える耐熱性を有すると共に、放電電極加熱部が発する熱を放電電極に伝達できる熱伝達性を有するものが好適に用いられる。具体的には、ガラスやポリイミド，芳香族ポリアミド，ポリフェニレンオキシド，ポリベンズイミダゾール，ボリフェニルキノキサリン，ポリアリレート，ポリエーテルイミド，ポリエーテルスルフォン，ポリフェニレンサルファイド，ポリエーテルエーテルケトン，アラミド等の合成樹脂等が好適に用いられる。
また、放電電極加熱部としては、ＴａＳｉＯ2、ＲｕＯ2等で形成された発熱抵抗体が好適に用いられる。尚、放電電極加熱部に加熱部保護層を覆設することにより、放電電極加熱部の破損を確実に防止することができると共に、放電電極加熱部に直接、手が触れることを防止でき、取り扱い性、安全性に優れる。加熱部保護層の材質としては、前述の放電電極保護層と同様のものが好適に用いられる。
【００２６】
請求項９に記載の発明は、請求項８に記載の記録媒体であって、前記放電電極加熱部に接続され前記放電電極加熱部による前記放電電極の加熱を制御する加熱制御用ＩＣを備えた構成を有している。
この構成により、請求項８の作用に加え、以下のような作用を有する。
（１）放電電極加熱部に接続され放電電極加熱部による放電電極の加熱を制御する加熱制御用ＩＣを備えることにより、画像データに基づいて選択的に放電電極の任意の電子放出部位を加熱することができ、取り扱い性に優れる。
ここで、加熱制御用ＩＣは、画像データに基づいて選択的に放電電極の加熱を行うことができるものであればよい。
【００２７】
請求項１０に記載の発明は、請求項３又は５に記載の記録媒体であって、前記電荷注入部の表面に形成された抵抗層を備えた構成を有している。
この構成により、請求項３又は５の作用に加え、以下のような作用を有する。
（１）電荷注入部の表面に抵抗層を形成することにより、上部電極や下部電極の汚れの付着や劣化を防止でき、電荷注入部の劣化を防止して耐久性を向上させることができる。
ここで、抵抗層の膜厚を１０μｍ〜１００μｍとして抵抗値を１０12Ω・ｃｍ〜１０14Ω・ｃｍ程度とすることにより、電荷注入部を抵抗層で覆った状態でも、選択的に上部電極や下部電極の任意の位置への電荷の注入を確実に行うことができる。
【００２８】
請求項１１に記載の発明は、請求項１乃至１０の内いずれか１項に記載の記録媒体であって、前記媒体本体に積層された媒体加熱層を備えた構成を有している。
この構成により、請求項１乃至１０の内いずれか１項の作用に加え、以下のような作用を有する。
（１）媒体本体に積層された媒体加熱層を有することにより、媒体本体に封入された画像表示材料が、加熱により画像が消去するタイプのものである場合に、画像形成装置にヒータなどの特別な画像消去手段を設けることなく、簡便かつ確実に画像を消去することができ、画像形成装置の機構を簡素化することができ取扱い性に優れる。
【００２９】
ここで、媒体加熱層としては、チタン酸バリウム等を主成分とするＰＴＣ（ＰＯＳＩＴＩＶＥ  ＴＥＭＰＥＲＡＴＵＲＥ  ＣＯＥＦＦＩＣＩＥＮＴ：正温度係数）抵抗体などの発熱抵抗体と、その発熱抵抗体に電力を供給するための電力供給用電極を有するものが好適に用いられる。
電力供給用電極の形状や配置は適宜、選択することができるが、電力供給用電極を櫛形に形成し互い違いに対向配置した場合、電力供給用電極が形成された領域を満遍なく発熱させることができ、発熱温度の均一性に優れる。
また、ＰＴＣ抵抗体を用いた場合、サーミスター等の温度検知素子や温度制御回路を設ける必要がなく、簡便に消去に必要な所定温度に制御できる。尚、ＰＴＣ抵抗体以外の温度制御回路を設けるような発熱抵抗体を用いることもできる。
【００３０】
請求項１２に記載の発明は、請求項１乃至１１の内いずれか１項に記載の記録媒体であって、前記下部電極と、前記上部電極と、の間を短絡する電極短絡部を備えた構成を有している。
この構成により、請求項１乃至１１の内いずれか１項の作用に加え、以下のような作用を有する。
（１）媒体本体の両面にそれぞれ形成された下部電極と上部電極との間を短絡する電極短絡部を有することにより、媒体本体に封入された画像表示材料が、上下の電極の電位差が保持された状態でのみ画像が表示されるタイプのものである場合に、電極短絡部で下部電極と上部電極を短絡させるだけで簡便かつ確実に短時間で画像を消去することができ、画像形成装置に特別な画像消去手段を設ける必要がなく、画像形成装置の機構を簡素化することができ取扱い性に優れる。
【００３１】
ここで、一部の液晶材料方式や粉体移動方式等のように、上下の電極に電圧が印加された状態でのみ画像が保持されるタイプの画像表示材料を用いた記録媒体では、電荷の注入により、画像表示部分の上下の電極に電荷が保持された状態になっている。このため、電極短絡部で、必要に応じて下部電極と上部電極との間を短絡させることにより、画像を消去することができる。例えば、電極短絡部としては、共通の短絡用電極への接触の有無を機械的に切り替えるもの等が好適に用いられる。
【００３２】
請求項１３に記載の発明は、請求項１乃至１２の内いずれか１項に記載の記録媒体であって、前記下部電極及び前記上部電極に覆設された電極保護層と、前記電極保護層に覆設された画像保護層と、を備えた構成を有している。
この構成により、請求項１乃至１２の内いずれか１項の作用に加え、以下のような作用を有する。
（１）下部電極及び上部電極に覆設された電極保護層と、電極保護層に覆設された画像保護層とを有することにより、媒体本体の少なくとも画像表示領域を両面から画像保護層で挟むことができ、画像形成後に外部から電荷の作用を受け難く、形成された画像に乱れが発生することを防止して長期に渡って表示画像を維持することが可能で画像品質の安定性に優れる。
【００３３】
ここで、画像保護層としては、静電気などの外部からの電荷の作用を遮断して画像の乱れを防止できるものであればよく、１０5Ω・ｃｍより低い抵抗値を有する抵抗層やＩＴＯなどの透明な電極などが好適に用いられる。画像保護層をＩＴＯなどの透明な電極で形成する場合は、さらにその表面を保護膜で覆ってもよい。
媒体本体の画像表示領域に直接、イオンを照射して電荷を注入するものでは、媒体本体の表面を画像保護層で覆うと、画像を形成することができなくなるが、画像表示領域外の領域から電荷を注入するものでは、画像保護層とは無関係に確実に下部電極や上部電極から電荷を注入して媒体本体の表裏に電位差を発生させて画像を形成することができる。
【００３４】
請求項１４に記載の発明は、請求項１３に記載の記録媒体であって、前記両面の画像保護層を電気的に接続した導通部を備えている構成を有している。
この構成により、請求項１３の作用に加え、以下のような作用を有する。
（１）両面の画像保護層を導通部で電気的に接続することにより、いずれか一方の画像保護層が高電位になることを防いで画像の乱れが発生することを確実に防止できる。
【００３５】
請求項１５に記載の発明は、請求項１乃至１４の内いずれか１項に記載の記録媒体であって、前記下部電極又は前記上部電極が、前記媒体本体の行方向に短冊状に分割されて形成され、前記上部電極又は前記下部電極が、前記媒体本体の列方向に短冊状に分割されて形成されている構成を有している。
この構成により、請求項１乃至１４の内いずれか１項の作用に加え、以下のような作用を有する。
（１）下部電極及び上部電極をそれぞれ短冊状に分割して形成し、媒体本体の両面に互いに直交するようにマトリックス状に配置することにより、下部電極と上部電極が交差する位置を選択して任意の画像を表示させることができ汎用性に優れる。
【００３６】
請求項１６に記載の発明は、請求項１乃至１４の内いずれか１項に記載の記録媒体であって、前記下部電極又は前記上部電極のいずれか一方が、表示画像のセグメント単位に分割されて形成されている構成を有している。
この構成により、請求項１乃至１４の内いずれか１項の作用に加え、以下のような作用を有する。
（１）下部電極又は上部電極をセグメント単位に分割して形成することにより、下部電極又は上部電極をセグメント単位で選択して予め決められた文字や数字などを簡便に表示させることができ、制御が容易で取り扱い性に優れる。
【００３７】
請求項１７に記載の発明は、請求項１乃至１６の内いずれか１項に記載の記録媒体であって、前記下部電極又は前記上部電極の少なくともいずれか一方が透明に形成され、前記媒体本体にカラーフィルタ又はカラー反射層が積層されている構成を有している。
この構成により、請求項１乃至１６の内いずれか１項の作用に加え、以下のような作用を有する。
（１）下部電極又は上部電極の少なくともいずれか一方が透明に形成され、媒体本体にカラーフィルタ又はカラー反射層が積層されていることにより、媒体本体に封入される画像表示材料に着色する必要がなく生産性に優れ、透明な下部電極又は上部電極が形成された面を表示面としてカラー画像を表示することができる。
【００３８】
ここで、カラーフィルタやカラー反射層の表示原色は、下部電極又は上部電極のいずれか一方の配置（パターン形状）に対応させて配置することができる。これにより、色ずれのない高品質なカラー画像を得ることができる。
カラー表示の表示原色は二色以上であればよく、色の組合せも適宜、選択することができる。
尚、カラー表示の表示原色が少なくとも加法混色法における三原色（Ｒ，Ｇ，Ｂ）若しくは減法混色法における三原色（Ｙ，Ｍ，Ｃ）を備えた場合、フルカラー表示を行うことができるが、必要に応じて黒色等の他の色を含めても良い。
一画素は表示原色一色当たりの基本表示単位を表すものとする。例えば、記録媒体が加法混色法における三原色（Ｒ，Ｇ，Ｂ）でフルカラー表示を行うものである場合は、各色について一画素ずつの合計三画素がカラー表示の基本単位となる。
【００３９】
また、加法混色法における三原色（Ｒ，Ｇ，Ｂ）のそれぞれの色に着色された単色のカラーフィルタを有する記録媒体を三層に重ねることによってもフルカラー表示を行うことができる。この記録媒体は、画像表示領域外の領域から電荷を注入することにより、画像の書き込みや消去を行うことができるので、各色を表示可能な記録媒体を密着させて一体化することが可能であり、取り扱い性に優れる。このとき、各色に対応した記録媒体の電荷注入部の取り出し位置が重ならないように配置することにより、簡便かつ確実に画像の書き込みや消去を行うことができる。
【００４０】
請求項１８に記載の発明は、請求項１５に記載の記録媒体であって、複数の表示原色の内のいずれか一色を選択的に表示可能な画像表示材料が、前記媒体本体に前記表示原色の色毎に縞模様状に配置された構成を有している。
この構成により、請求項１５の作用に加え、以下のような作用を有する。
（１）複数の表示原色の内のいずれか一色を選択的に表示可能な画像表示材料が、媒体本体に表示原色の色毎に縞模様状に配置されているので、反射光によって簡便にカラー画像を表示することができ、生産性、取扱い性に優れる。
【００４１】
ここで、表示原色の縞模様状の配置が、短冊状に分割して形成された下部電極及び上部電極のいずれか一方に対応していれば、色ずれのないカラー表示を行うことができる。
画像表示材料としては、反射型のものであればよく、ツイストボール方式，電気泳動方式，粉体移動方式等のものが好適に用いられる。これらの画像表示材料のツイストボールや微粒子を白色又は複数の表示原色の内のいずれか一色を選択的に表示できるように着色することにより、カラー表示を行うことができる。カラー表示の表示原色は二色以上であればよく、色の組合せも適宜、選択することができる。各々の画素にそれぞれの表示原色に対応した画像表示材料を色毎に縞模様状に配置することでカラー化に対応できる。尚、カラー表示の表示原色が少なくとも減法混色法における三原色（Ｙ，Ｍ，Ｃ）を備えた場合、フルカラー表示を行うことができるが、必要に応じて黒色等の他の色を含めても良い。
【発明の効果】
【００４２】
以上のように、本発明の記録媒体によれば、以下のような有利な効果が得られる。
請求項１に記載の発明によれば、以下のような効果を有する。
（１）電荷の作用により画像の書き込みや消去が行われる媒体本体の両面に予め所定のパターンで下部電極と上部電極が配設されているので、下部電極又は上部電極の一方に形成された電荷注入部から電荷を注入し、下部電極又は上部電極の他方に形成された電極端子への接地若しくは電圧印加を行うことにより、下部電極と上部電極が交差する位置に確実に電位差を発生させて画像を形成することができ、画像の位置ずれが発生することがない画像品質の信頼性に優れた記録媒体を提供することができる。
（２）下部電極又は上部電極の少なくともいずれか一方と、媒体本体と、の間が、スペーサによって離間しているので、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像品質の信頼性に優れた記録媒体を提供することができる。
【００４３】
請求項２に記載の発明によれば、請求項１の効果に加え、以下のような効果を有する。
（１）電極端子に接続された媒体側電圧制御用ＩＣにより、画像データに基づいて選択的に下部電極又は上部電極への接地又は電圧印加を行うことができ、電荷注入部への電荷の注入と下部電極又は上部電極への接地又は電圧印加のタイミングを容易に同期させて高品質な画像を形成することができる取り扱い性に優れた記録媒体を提供することができる。
【００４４】
請求項３に記載の発明によれば、請求項１又は２の効果に加え、以下のような効果を有する。
（１）画像表示領域外の領域から電荷を注入して画像の書き込みや消去を行うことができ、媒体本体の画像表示領域を有効に利用することができる取り扱い性に優れた記録媒体を提供することができる。
【００４５】
請求項４に記載の発明によれば、請求項１の（２）の効果に加え、以下のような効果を有する。
（１）電荷の作用により画像の書き込みや消去が行われる媒体本体の両面に予め所定のパターンで下部電極と上部電極が配設されているので、印字ヘッドの位置決めや走査等を行うことなく、下部電極及び上部電極のそれぞれに１以上形成された電荷注入部から逆極性の電荷を注入することができ、下部電極と上部電極が交差する位置に確実に電位差を発生させて位置ずれのない高品質な画像を形成することができる画像品質の信頼性に優れた記録媒体を提供することができる。
【００４６】
請求項５に記載の発明によれば、請求項４の効果に加え、以下のような効果を有する。
（１）画像の書き込みや消去の工程を全て画像表示領域外の電荷注入部から行うことができるので、画像形成装置の構造を簡素化することができ、媒体本体の画像表示領域を有効に利用することができる取り扱い性に優れた記録媒体を提供することができる。
【００４７】
請求項６に記載の発明によれば、請求項４の効果に加え、以下のような効果を有する。
（１）下部電極及び上部電極のそれぞれに１以上形成された電荷注入部が、媒体本体の外周側の一辺乃至四辺の少なくとも１箇所以上に直列又は並列に配置されているので、媒体本体の外周側にまとめて直列や並列に並べて配置した印字ヘッドから電荷注入部に電荷の注入を行うことができ、画像形成装置のコンパクト化を図ることができる取り扱い性に優れた記録媒体を提供することができる。
【００４８】
請求項７に記載の発明によれば、請求項３又は５の効果に加え、以下のような効果を有する。
（１）下部電極又は上部電極の少なくとも一方に対応する電子放出部位を有する放電電極が、予め電荷注入部に対向して媒体本体と一体に形成されているので、放電電極に放電制御電圧を印加し、加熱手段により放電電極を選択的に加熱するだけで、位置合わせ等を行うことなく、確実に放電電極から電荷注入部に対して電子やイオンを照射して電荷を注入し、高品質な画像を形成することができる信頼性、取扱い性に優れた記録媒体を提供することができる。
【００４９】
請求項８に記載の発明によれば、請求項７の効果に加え、以下のような効果を有する。
（１）放電電極と共に放電電極を選択的に加熱するための放電電極加熱部が、媒体本体と一体に形成されているので、電子やイオンの照射位置精度を向上させることができ、画像品質の信頼性に優れると共に、画像形成装置に加熱手段を設ける必要がなく、画像形成装置の小型化、機構の簡素化を図ることができる取扱い性に優れた記録媒体を提供することができる。
【００５０】
請求項９に記載の発明によれば、請求項８の効果に加え、以下のような効果を有する。
（１）放電電極加熱部に接続された加熱制御用ＩＣにより、画像データに基づいて選択的に放電電極の任意の電子放出部位を加熱することができ、加熱のタイミングを容易に制御して高品質な画像を形成することができる取り扱い性に優れた記録媒体を提供することができる。
【００５１】
請求項１０に記載の発明によれば、請求項３又は５の効果に加え、以下のような効果を有する。
（１）電荷注入部の表面に形成した抵抗層により、上部電極や下部電極の汚れの付着や劣化を防止できる耐久性に優れた記録媒体を提供することができる。
【００５２】
請求項１１に記載の発明によれば、請求項１乃至１０の内いずれか１項の効果に加え、以下のような効果を有する。
（１）加熱により画像が消去するタイプの画像表示材料が封入された媒体本体を、媒体本体に積層された媒体加熱層で加熱することができ、画像形成装置にヒータなどの特別な画像消去手段を設けることなく、簡便かつ確実に画像を消去することができ、画像形成装置の機構を簡素化することができる取扱い性に優れた記録媒体を提供することができる。
【００５３】
請求項１２に記載の発明によれば、請求項１乃至１１の内いずれか１項の効果に加え、以下のような効果を有する。
（１）媒体本体に封入された画像表示材料が、上下の電極に電荷が保持された状態でのみ画像を表示するタイプのものである場合に、媒体本体の両面にそれぞれ形成された下部電極と上部電極との間を電極短絡部で短絡させるだけで簡便かつ確実に短時間で画像を消去することができ、画像形成装置に特別な画像消去手段を設ける必要がなく、画像形成装置の機構を簡素化することができる取扱い性に優れた記録媒体を提供することができる。
【００５４】
請求項１３に記載の発明によれば、請求項１乃至１２の内いずれか１項の効果に加え、以下のような効果を有する。
（１）媒体本体の少なくとも画像表示領域を両面から画像保護層で挟むことにより、外部から電荷の作用を受けることがなく、形成された画像に経時的に乱れが発生することを防止することができ、長期に渡って表示画像を維持することが可能な画像品質の安定性に優れた記録媒体を提供することができる。
【００５５】
請求項１４に記載の発明によれば、請求項１３の効果に加え、以下のような効果を有する。
（１）両面の画像保護層が導通部で電気的に接続されていることにより、いずれか一方の画像保護層が高電位になることがなく、画像の乱れが発生することを確実に防止できる画像品質の安定性に優れた記録媒体を提供することができる。
【００５６】
請求項１５に記載の発明によれば、請求項１乃至１４の内いずれか１項の効果に加え、以下のような効果を有する。
（１）下部電極及び上部電極が、媒体本体の両面に互いに直交するようにマトリックス状に配置されることにより、下部電極と上部電極が交差する位置を選択して任意の画像を表示させることができる汎用性に優れた記録媒体を提供することができる。
【００５７】
請求項１６に記載の発明によれば、請求項１乃至１４の内いずれか１項の効果に加え、以下のような効果を有する。
（１）セグメント単位に分割して形成された下部電極又は上部電極を選択して電荷を注入するだけで、予め決められた文字や数字などを簡便に表示させることができる制御が容易で取り扱い性に優れた記録媒体を提供することができる。
【００５８】
請求項１７に記載の発明によれば、請求項１乃至１６の内いずれか１項の効果に加え、以下のような効果を有する。
（１）媒体本体にカラーフィルタ又はカラー反射層が積層されていることにより、媒体本体に封入される画像表示材料に着色する必要がなく生産性に優れ、透明な下部電極又は上部電極が形成された面を表示面としてカラー画像を表示することができる取扱い性に優れた記録媒体を提供することができる。
【００５９】
請求項１８に記載の発明によれば、請求項１５の効果に加え、以下のような効果を有する。
（１）着色された画像表示材料を媒体本体に封入することにより、カラーフィルタなどを用いることなく、反射光を利用して簡便にカラー画像を表示することができる構造が簡素で生産性、取扱い性に優れた記録媒体を提供することができる。
【発明を実施するための最良の形態】
【００６０】
（実施の形態１）
本発明の実施の形態１における記録媒体について、以下図面を参照しながら説明する。
図１は実施の形態１における記録媒体を示す部分破断模式斜視図である。
図１中、１は本発明の実施の形態１における記録媒体、２は白色と減法混色法における三原色（Ｙ，Ｍ，Ｃ）の表示原色の内のいずれか一色を選択的に表示可能な電気泳動方式の画像表示材料２ａが表示原色の色毎に縞模様状に配置されて封入された媒体本体、３は媒体本体２の表示原色の各色に対応させて行方向に分割されて短冊状に形成され媒体本体２の下面側に配設された記録媒体１のＩＴＯ等の透明な下部電極、３ａは媒体本体２の画像表示領域外の領域で下部電極３の端部に一体に形成された電荷注入部、３Ａはフォトレジスト等により形成され各々の下部電極３と媒体本体２との間を行単位に分割するように配設されて媒体本体２と下部電極３とを離間させたスペーサ、３Ｂは媒体本体２と下部電極３との間に形成された放電空間、４は媒体本体２の上面に列方向に分割されて短冊状に形成され下部電極３と直交するように配設された記録媒体１の上部電極、４ａは媒体本体２の画像表示領域外の領域で上部電極４の端部に一体に形成された記録媒体１の電極端子、５ａ，５ｂはガラス、アラミド、ポリイミド、ＰＥＴ、ポリアミド等の合成樹脂等の材質で形成され下部電極３及び上部電極４に覆設された記録媒体１の電極保護層、６は電極端子４ａに接続され上部電極４への電圧印加を制御する記録媒体１の媒体側電圧制御用ＩＣである。
尚、図１では、説明の都合上、記録媒体１の一部として３行分の下部電極３及び４列分の上部電極４のみを示している。
【００６１】
図２は実施の形態１における記録媒体の媒体本体を示す模式平面図である。
図２に示すように、媒体本体２には白色と減法混色法における三原色（Ｙ，Ｍ，Ｃ）の表示原色の内のいずれか一色を選択的に表示可能な電気泳動方式の画像表示材料２ａが表示原色の色毎に縞模様状に配置されて封入されている。
下部電極３を透明電極とすることにより、下部電極３が形成された媒体本体２の下面側を表示面として、反射光による画像表示を行うことができる。
尚、１行の下部電極３と１列の上部電極４が交差する位置の表示原色の１色分が、記録媒体１の一画素（基本表示単位）に相当し、３行の下部電極３と１列の上部電極４が交差する位置の表示原色の三原色（Ｙ，Ｍ，Ｃ）分が、記録媒体１のカラー表示の基本単位となる。
本実施の形態では、下部電極３の１行当たりに画像表示材料２ａを２行ずつ配置したが、画像表示材料２ａの配置はこれに限定されるものではなく、１行当たりに配置する画像表示材料２ａの数は任意に選択することができる。
【００６２】
以上のように構成された実施の形態１における記録媒体を用いた画像形成方法について説明する。
図３は実施の形態１における記録媒体を示す模式平面図であり、図４は実施の形態１における記録媒体を用いた画像形成方法を示す要部模式断面図である。
図３において、下部電極３と上部電極４が重なり合っている領域ｗが、媒体本体２の画像表示領域である。
尚、図４においては、図３における記録媒体１のＡ−Ｏ−Ａ線の断面を同一面上に展開して示している。
図４中、１５は実施の形態１における記録媒体１を用いて画像を形成する画像形成装置、１６は記録媒体１を載置して保持する画像形成装置１５の媒体載置部、２０は電荷注入部３ａに対して選択的に電子やイオンを照射して電荷を注入する画像形成装置１５の印字ヘッド、２１は媒体側電圧制御用ＩＣ６を介して上部電極４へ印字ヘッド２０から注入される電荷と逆極性の電圧印加を行う画像形成装置１５の媒体側電圧制御部である。
尚、印字ヘッド２０は、選択的に電子やイオンを照射できるものであればよく、ワイヤ電極や針電極等に高電圧を印加してコロナ放電を発生させるもの、電極を加熱して熱電子を放出させるもの、放電電極に印加する電圧と放電電極の温度を制御して電子やイオンを照射する加熱放電型印字ヘッド（例えば特開２００３−３２６７５６号やＷＯ２００５／０５６２９７）、ＳＥＤ（表面電界ディスプレイ）に使用される電子放出デバイス、ＦＥＤ（電界放出型ディスプレイ）に使用される電子放出デバイス、電子放出部にカーボンナノチューブを使用したカーボンナノチューブＦＥＤ等を用いることができる。
【００６３】
電荷注入工程において、印字ヘッド２０から選択された電荷注入部３ａへ電子や負イオンを照射し、負電荷を注入すると共に、媒体側電圧制御工程において、媒体側電圧制御部２１から選択された電極端子４ａに正電圧を印加する。
電荷注入工程と媒体側電圧制御工程が、同期して行われることにより、選択された電荷注入部３ａに接続された下部電極３と、選択された電極端子４ａに接続された上部電極４が交差する位置で、下部電極３と上部電極４の間に電位差が発生する。この電位差により、下部電極３から放電が発生し、媒体本体２の裏面に電子やイオンが照射され電荷が付与される。その結果、媒体本体２の表裏に電位差が生じ、その電位差に従って画像表示材料２ａが移動して画像が形成される。
記録媒体１と印字ヘッド２０を相対的に移動させることなく、電荷注入部３ａから電荷を注入して画像の形成を行うことができるので、記録媒体１は画像形成装置１５の媒体載置部１６上に載置するだけでよく、媒体載置部１６及び印字ヘッド２０の移動機構が不要で、画像形成装置１５の機構を簡素化してコンパクト化することができる。
【００６４】
本実施の形態では、電荷注入工程において、下部電極３側に負電荷を注入し、媒体側電圧制御工程において、上部電極４側に正電圧を印加したが、下部電極３側に正電荷を注入し、媒体側電圧制御工程において、上部電極４側に負電圧を印加してもよい。また、媒体側電圧制御工程においては、電荷注入工程で注入される電荷と逆極性の電圧を印加する代わりに、接地を行ってもよい。
尚、画像の１行中に表示する画素数に応じて、電荷注入工程により注入する電荷の量を変化させることにより、濃淡斑のない画像を表示することができ、画像品質の信頼性に優れる。
また、画像データの濃度に応じて、画素毎に電荷注入工程により注入する電荷の量を変化させることにより、画像表示材料２ａの移動量を変化させて階調記録を行うことができ、画像の高品質性に優れる。
【００６５】
本実施の形態では、下部電極３を行方向に分割し、上部電極４を列方向に分割してマトリックス状に配置したが、下部電極３を列方向に分割し、上部電極４を行方向に分割してもよい。尚、下部電極３及び上部電極４のパターンは、本実施の形態に限定されるものではなく、表示する画像の種類に応じて適宜、選択することができる。表示する画像が、予め決められた文字や数字などの場合は、表示面側の下部電極３を文字や数字を構成するセグメント単位に分割して形成し、上部電極４は画像表示領域ｗに共通の平板電極とすればよい。
また、本実施の形態では、媒体本体２の裏面側にスペーサ３Ａを配置し、媒体本体２と下部電極３との間を離間させたが、下部電極３又は上部電極４の少なくともいずれか一方を媒体本体２と離間させればよく、スペーサは媒体本体２の表裏のいずれか一方、若しくは両方に形成することができる。
【００６６】
実施の形態１の記録媒体は以上のように構成されているので以下の作用を有する。
（１）電荷の作用により画像の書き込みや消去が行われる画像表示領域ｗを有する媒体本体２の下面に行方向に分割された複数の下部電極３が配設され、上面に列方向に分割された複数の上部電極４が配設されると共に、媒体本体２の画像表示領域ｗ外の領域で各々の下部電極３の端部に電荷注入部３ａが形成されているので、電子やイオンを照射可能な印字ヘッド２０を電荷注入部３ａに対向させて配置し、電荷注入部３ａに選択的に電子やイオンを照射して電荷を注入することにより、画像表示領域ｗでの画像の書き込みや消去を行うことができ、印字ヘッド２０の位置決めや走査等が不要で画像形成の工程及び画像形成装置１５の機構を簡素化することができ取扱い性に優れる。
（２）下部電極３と媒体本体２との間に配設され、媒体本体２と下部電極３とを離間させたスペーサ３Ａを備えているので、下部電極３に注入された電荷の作用によって、媒体本体２と電荷が注入された下部電極３との間で選択的に放電を発生させることができ、下部電極３に選択的に注入された電荷が、隣接する電荷が注入されていない下部電極３に作用することがなく、クロストークの発生を確実に防止することができ、滲みのない高品質な画像を形成することができ、画像品質の信頼性に優れる。
（３）媒体本体２の両面に予め下部電極３と上部電極４がマトリックス状に配設されているので、下部電極３の端部に形成された電荷注入部３ａから電荷を注入し、上部電極４の端部に形成された電極端子４ａへの電圧印加を行うことにより、下部電極３と上部電極４が交差する任意の位置に確実に電位差を発生させて画像を形成することができ、画像の位置ずれが発生することがなく、画像品質の信頼性に優れる。
（４）電荷注入部３ａから注入される電荷と逆極性の電圧を電極端子４ａに印加することにより、下部電極３と上部電極４が交差する位置で確実に媒体本体２の表裏に電位差を発生させることができ、高品質な画像を形成することができる。
（５）媒体本体２の画像表示領域ｗ外の領域で上部電極４の端部に形成された電極端子４ａを有するので、電極端子４ａを画像形成装置１５などのコネクタに挿通することにより、簡便に電極端子４ａを介して上部電極４との導通を取ることができ、上部電極４への選択的な電圧印加を確実に行うことができ取り扱い性に優れる。
（６）電極端子４ａに接続され上部電極４への電圧印加を制御する媒体側電圧制御用ＩＣ６を備えることにより、画像データに基づいて選択的に上部電極４への電圧印加を行うことができ、電荷注入部３ａへの電荷の注入と上部電極４への電圧印加のタイミングを容易に同期させることができ取り扱い性に優れる。
（７）媒体本体２の表裏に電荷が溜まった状態で保持されるので、画像形成後は無電源で画像を表示することができ省エネルギー性に優れる。
（８）複数の表示原色の内のいずれか一色を選択的に表示可能な画像表示材料２ａが、媒体本体２に表示原色の色毎に縞模様状に配置されているので、反射光によって簡便にカラー画像を表示することができ、生産性、取扱い性に優れる。
（９）印字ヘッド２０と記録媒体１を相対的に移動させる必要がないので、印字ヘッド２０の汚れや記録媒体１の傷或いは汚れが発生し難く、画像品質の信頼性、記録媒体１の耐久性に優れる。
【００６７】
（実施の形態２）
本発明の実施の形態２における記録媒体について、以下図面を参照しながら説明する。尚、実施の形態１と同様のものには同一の符号を付して説明を省略する。
図５は実施の形態２における記録媒体を用いた画像形成方法を示す要部模式断面図である。
図５において、実施の形態２における記録媒体１ａが、実施の形態１と異なるのは、電極端子４ａの代わりに、上部電極４の端部に電荷注入部４ｂが形成されている点である。
また、実施の形態２における記録媒体を用いた画像形成方法が、実施の形態１と異なるのは、画像形成装置１５ａが媒体側電圧制御部２１の代わりにもう１つの印字ヘッド２０ａを備えており、媒体側電圧制御用ＩＣ６を介して上部電極４へ電圧印加を行う代わりに、電荷注入部４ｂと離間して対向配置された印字ヘッド２０ａから、電荷注入部４ｂに対して選択的に正イオンを照射して電荷を注入している点である。
電荷注入工程において、２箇所の電荷注入部３ａ，４ｂにそれぞれ逆極性の電荷が注入されることにより、選択された電荷注入部３ａに接続された下部電極３と、選択された電荷注入部４ｂに接続された上部電極４が交差する位置で放電が発生し、媒体本体２の表裏に生じた電位差に従って画像表示材料２ａが移動して画像が形成される。
【００６８】
実施の形態２の記録媒体は以上のように構成されているので、実施の形態１の（２），（６）乃至（８）と同様の作用に加え、以下の作用を有する。
（１）電荷の作用により画像の書き込みや消去が行われる画像表示領域ｗを有する媒体本体２の下面に行方向に分割された下部電極３が配設され、上面に列方向に分割された上部電極４が配設されると共に、媒体本体２の画像表示領域ｗ外の領域で下部電極３及び上部電極４の端部にそれぞれ電荷注入部３ａ，４ｂが形成されているので、負又は正のイオンを照射可能な印字ヘッド２０，２０ａを各々の電荷注入部３ａ，４ｂに対向させて配置し、各々の電荷注入部３ａ，４ｂに選択的に逆極性のイオンを照射して電荷を注入することにより、画像表示領域ｗでの画像の書き込みや消去を行うことができ、印字ヘッド２０，２０ａの位置決めや走査等が不要で画像形成の工程及び画像形成装置１５の機構を簡素化することができ生産性に優れる。
（２）媒体本体２の両面に予め下部電極３と上部電極４がマトリックス状に配設されているので、下部電極３及び上部電極４の端部にそれぞれ形成された２箇所の電荷注入部３ａ，４ｂから逆極性の電荷を注入することにより、下部電極３と上部電極４が交差する位置に確実に電位差を発生させて画像を形成することができ、画像の位置ずれが発生することがなく、画像品質の信頼性に優れる。
【００６９】
（実施の形態３）
本発明の実施の形態３における記録媒体について、以下図面を参照しながら説明する。尚、実施の形態１又は２と同様のものには同一の符号を付して説明を省略する。
図６は実施の形態３における記録媒体を用いた画像形成方法を示す要部模式断面図である。
図６において、実施の形態３における記録媒体１ｂが、実施の形態１と異なるのは、フォトレジスト等により全ての電荷注入部３ａの外周を囲むように電荷注入部３ａ及び電極保護層５ａの上面に突設されたスペーサ７と、電荷注入部３ａと後述する放電電極８との間に形成された放電空間７ａと、スペーサ７上に架設され電荷注入部３ａに離間して対向配置された放電電極８と、放電電極８に接続された放電制御電圧入力用端子９を備えている点である。
【００７０】
スペーサ７は、電荷注入部３ａと放電電極８との間の隙間を略一定に保って放電電極８を保持することができるものであればよい。スペーサ７は、複数の電荷注入部３ａと放電電極８の間に１つの共通な放電空間７ａを形成するように配置する代わりに、各々の電荷注入部３ａと放電電極８の間を行単位の放電空間７ａに分割するように配置してもよい。
本実施の形態では、各々の電荷注入部３ａに対応した複数の電子放出部位を有する放電電極８を長方形状の一枚の平板状に形成したが、例えば複数の電子放出部位の一端部を共通電極で接続して櫛型に形成したり、複数の電子放出部位の両端部を共通電極で接続して梯子型等に形成したりできる（例えば、WO２００５／０５６２９７号参照）。尚、長方形状や正方形状等の平板状に形成した放電電極８は、電子放出部位以外が共通電極となる。
【００７１】
実施の形態３における記録媒体を用いた画像形成方法が、実施の形態１と異なるのは、電荷注入工程が、画像形成装置１５ｂの放電制御電圧印加部２５により放電制御電圧入力用端子９を介して放電電極８に放電制御電圧を印加する放電制御電圧印加工程と、画像形成装置１５ｂの加熱手段３０により放電電極８の電子放出部位を選択的に加熱する放電電極加熱工程と、画像形成装置１５ｂの媒体側電圧制御部２１から選択された電極端子４ａに正電圧を印加する媒体側電圧制御工程と、を備えている点である。
放電制御電圧印加工程により、放電電極８に放電制御電圧が印加された状態で、放電電極加熱工程により、選択された電荷注入部３ａに対応する放電電極８の電子放出部位を加熱することにより、電荷注入部３ａと放電電極８との間で放電が発生し、電子放出部位から放出された電子が、放電空間７ａ中の酸素や窒素をイオン化し、それらを電荷注入部３ａに到達させることができ、多量のイオンで効率的に電荷を注入することができる。
放電電極加熱工程と媒体側電圧制御工程が、同期して行われることにより、選択された電荷注入部３ａに接続された下部電極３と、選択された電極端子４ａに接続された上部電極４が交差する位置で放電が発生し、媒体本体２の表裏で生じた電位差に従って画像表示材料２ａが移動して画像が形成される。
【００７２】
加熱手段３０としては、レーザ光を照射する方式や赤外線を照射する方式を用いた。レーザ光を照射する方式としては、具体的には従来の電子写真方式と同様のレーザスキャナユニットを用いた。本実施の形態では、レーザ照射部にポリゴンミラー又はガルバノミラーを組合せて放電電極８に対してレーザ光のみをスキャンさせるものを用いたが、放電電極８に対してレーザ照射部自体をシリアル走査させるものも同様に用いることができる。また、レーザ光や赤外線を光ファイバーや集光レンズで集光して放電電極８に照射してもよい。特に多本数の光ファイバーを高密度かつ高精度に配列した光ファイバーアレイを用いた場合、同時に複数の電子放出部位に対し、レーザ光や赤外線を選択的に照射することができ、高速記録が可能となる。
尚、放電電極８の加熱手段３０側にカーボン等を含有する黒色の塗料を塗布したり、クロムを蒸着したりして熱吸収層を形成した場合、加熱手段３０から照射される熱を確実に吸収して放電電極８に伝達することができ、放電電極８の加熱の効率性に優れる。
放電電極８の表面に電極保護層５ａ，５ｂと同様の材質で形成された放電電極保護層を覆設した場合、放電電極８を保護して破損を防止することができ、放電電極８の耐久性に優れる。また、その他の加熱手段として、接触型のサーマルヘッドを使用してもよい。その場合は、ラインヘッドでもよいし、シリアルヘッドをスキャンさせてもよい。
【００７３】
実施の形態３の記録媒体は以上のように構成されているので、実施の形態１の（２），（６），（７）の作用に加え、以下の作用を有する。
（１）下部電極３に対応する電子放出部位を有し電荷注入部３ａに対向して配置された放電電極８を有するので、放電電極８に放電制御電圧を印加し、画像形成装置１５ｂの加熱手段３０により放電電極８を選択的に加熱することにより、放電電極８から電荷注入部３ａに対して電子やイオンを照射することができ、電荷を注入することができる。
（２）下部電極３に対応する電子放出部位を有する放電電極８が、予め電荷注入部３ａに対向して媒体本体２と一体に形成されているので、画像形成装置１５ｂには加熱手段３０のみを設ければよく、画像形成装置１５ｂの小型化、機構の簡素化を図ることができ、取扱い性に優れる。
（３）放電電極８に接続された放電制御電圧入力用端子９を有するので、画像形成装置１５ｂから放電電極８に対して簡便に放電制御電圧を印加することができ、取扱い性に優れる。
【００７４】
（実施の形態４）
本発明の実施の形態４における記録媒体について、以下図面を参照しながら説明する。尚、実施の形態１乃至３と同様のものには同一の符号を付して説明を省略する。
図７は実施の形態４における記録媒体を用いた画像形成方法を示す要部模式断面図である。
図７において、実施の形態４における記録媒体１ｃが、実施の形態３と異なるのは、上部電極４の端部に形成された電荷注入部４ｂ側にも、電荷注入部３ａ側と同様に、スペーサ７、放電空間７ａ、放電電極８、放電制御電圧入力用端子９を備えている点である。
【００７５】
実施の形態４における記録媒体を用いた画像形成方法が、実施の形態３と異なるのは、電荷注入工程が、画像形成装置１５ｃの放電制御電圧印加部２５，２５ａにより放電制御電圧入力用端子９を介して２箇所の放電電極８にそれぞれ放電制御電圧を印加する放電制御電圧印加工程と、画像形成装置１５ｃの加熱手段３０，３０ａにより２箇所の放電電極８の電子放出部位をそれぞれ選択的に加熱する放電電極加熱工程と、を有し、放電制御電圧印加工程で２箇所の放電電極８にそれぞれ印加される放電制御電圧の極性が互いに逆極性である点である。尚、加熱手段３０ａは、加熱手段３０と同様のものである。
【００７６】
放電制御電圧印加工程により、２箇所の放電電極８に互いに逆極性の放電制御電圧が印加された状態で、放電電極加熱工程により、選択された電荷注入部３ａ，４ｂに対応する放電電極８の電子放出部位をそれぞれ加熱することにより、電荷注入部３ａと放電電極８との間及び電荷注入部４ｂと放電電極８との間でそれぞれ放電が発生し、電荷注入部３ａに対しては、負の放電制御電圧が印加された放電電極８から負イオンが照射され、電荷注入部４ｂに対しては、正の放電制御電圧が印加された放電電極８から正イオンが照射される。
放電電極加熱工程が、２箇所の放電電極８の間で同期して行われることにより、選択された電荷注入部３ａに接続された下部電極３と、選択された電荷注入部４ｂに接続された上部電極４が交差する位置で放電が発生し、媒体本体２の表裏に生じた電位差に従って画像表示材料２ａが移動して画像が形成される。
【００７７】
実施の形態４の記録媒体は以上のように構成されているので、実施の形態１の（２），（６），（７）の作用に加え、以下の作用を有する。
（１）電荷の作用により画像の書き込みや消去が行われる画像表示領域ｗを有する媒体本体２の下面に行方向に分割された下部電極３が配設され、上面に列方向に分割された上部電極４が配設されると共に、媒体本体２の画像表示領域ｗ外の領域で下部電極３及び上部電極４の端部にそれぞれ電荷注入部３ａ，４ｂが形成され、下部電極３及び上部電極４のそれぞれに対応する電子放出部位を有し電荷注入部３ａ，４ｂに対向して配置された放電電極８を有するので、各々の放電電極８に互いに逆極性の放電制御電圧を印加し、加熱手段３０，３０ａにより各々の放電電極８を選択的に加熱することにより、各々の放電電極８から電荷注入部３ａ，４ｂに対して、選択的に逆極性のイオンを照射して電荷を注入することができ、画像表示領域ｗでの画像の書き込みや消去を行うことができる。
（２）媒体本体２の両面に予め下部電極３と上部電極４がマトリックス状に配設されているので、下部電極３及び上部電極４の端部にそれぞれ形成された２箇所の電荷注入部３ａ，４ｂから逆極性の電荷を注入することにより、下部電極３と上部電極４が交差する位置に確実に電位差を発生させて画像を形成することができ、画像の位置ずれが発生することがなく、画像品質の信頼性に優れる。
（３）下部電極３及び上部電極４にそれぞれ対応する電子放出部位を有する放電電極８が、予め電荷注入部３ａ，４ｂに対向して媒体本体２と一体に形成されているので、画像形成装置１５ｃには加熱手段３０，３０ａのみを設ければよく、画像形成装置１５ｃの小型化、機構の簡素化を図ることができ、取扱い性に優れる。
（４）各々の放電電極８に接続された放電制御電圧入力用端子９を有するので、画像形成装置１５ｃから各々の放電電極８に対して簡便に放電制御電圧を印加することができ、取扱い性に優れる。
【００７８】
（実施の形態５）
本発明の実施の形態５における記録媒体について、以下図面を参照しながら説明する。尚、実施の形態１乃至４と同様のものには同一の符号を付して説明を省略する。
図８は実施の形態５における記録媒体を用いた画像形成方法を示す要部模式断面図である。
図８において、実施の形態５における記録媒体１ｄが、実施の形態３と異なるのは、放電電極８に覆設された放電電極保護層１０と、放電電極保護層１０に放電電極８の電子放出部位に対応して配設された放電電極加熱部１１と、放電電極加熱部１１に覆設された加熱部保護層１１ａと、を備えている点である。
放電電極保護層１０の材質としては、絶縁性及び放電電極加熱部１１による加熱に耐える耐熱性を有すると共に、放電電極加熱部１１が発する熱を放電電極８に伝達できる熱伝達性を有するものが好適に用いられる。具体的には、ガラスやポリイミド，芳香族ポリアミド，ポリフェニレンオキシド，ポリベンズイミダゾール，ボリフェニルキノキサリン，ポリアリレート，ポリエーテルイミド，ポリエーテルスルフォン，ポリフェニレンサルファイド，ポリエーテルエーテルケトン，アラミド等の合成樹脂等を用いた。
また、放電電極加熱部１１としては、ＴａＳｉＯ2、ＲｕＯ2等で形成された発熱抵抗体を用いた。尚、加熱部保護層１１ａの材質は、放電電極保護層１０と同様である。
【００７９】
実施の形態５における記録媒体を用いた画像形成方法が、実施の形態３と異なるのは、画像形成装置１５ｄが加熱手段３０を備えておらず、電荷注入工程の放電電極加熱工程が、加熱手段３０の代わりに、媒体本体２に一体に形成された放電電極加熱部１１によって行われる点である。
【００８０】
実施の形態５の記録媒体は以上のように構成されているので、実施の形態１と同様の作用に加え、以下の作用を有する。
（１）放電電極８に覆設された放電電極保護層１０を有するので、電圧が印加される放電電極８と放電電極加熱部１１とを確実に絶縁することができると共に、放電電極加熱部１１と放電電極保護層１０を密着させて放電電極加熱部１１の発する熱を効率的に放電電極８に伝達することができ、放電電極加熱部１１に対応する任意の電子放出部位を選択的に加熱して放電を発生させることができる。
（２）放電電極８と共に放電電極８を選択的に加熱するための放電電極加熱部１１が、媒体本体２と一体に形成されているので、電子やイオンの照射位置精度を向上させることができ、高精細な画像を形成することができる。
（３）媒体本体２が放電電極加熱部１１を有するので、画像形成装置１５ｄには加熱手段３０を設ける必要がなく、画像形成装置１５ｄの小型化、機構の簡素化を図ることができ、取扱い性に優れる。
（４）放電電極加熱部１１に加熱部保護層１１ａが覆設されていることにより、放電電極加熱部１１の破損を確実に防止することができると共に、放電電極加熱部１１に直接、手が触れることを防止でき、取り扱い性、安全性に優れる。
【００８１】
（実施の形態６）
本発明の実施の形態６における記録媒体について、以下図面を参照しながら説明する。尚、実施の形態１乃至５と同様のものには同一の符号を付して説明を省略する。
図９は実施の形態６における記録媒体を用いた画像形成方法を示す要部模式断面図である。
図９において、実施の形態６における記録媒体１ｅが、実施の形態４と異なるのは、上部電極４の端部に形成された電荷注入部４ｂ側にも、電荷注入部３ａ側と同様に、放電電極８に覆設された放電電極保護層１０と、放電電極保護層１０に放電電極８の電子放出部位に対応して配設された放電電極加熱部１１を備えている点である。
実施の形態６における記録媒体を用いた画像形成方法が、実施の形態４と異なるのは、画像形成装置１５ｅが加熱手段３０，３０ａを備えておらず、電荷注入工程の放電電極加熱工程が、加熱手段３０，３０ａの代わりに、媒体本体２に一体に形成された放電電極加熱部１１によって行われる点である。
【００８２】
実施の形態６の記録媒体は以上のように構成されているので、実施の形態４の（２），（４）及び実施の形態５と同様の作用を有する。
尚、実施の形態１乃至６において、媒体本体２の画像表示材料２ａとしてマイクロカプセル型の電気泳動方式を用いたものを説明したが、マイクロカプセル型に限らず、水平型や垂直型の電気泳動方式も用いることができる。
また、画像表示材料２ａとして電気泳動方式以外にも、複数の表示原色の内のいずれか一色を選択的に表示可能なツイストボール方式，粉体移動方式等の画像表示材料も用いることができる。
さらに、透過型のネマティック液晶やスメクティック液晶等の液晶材料を用いた液晶方式或いは白色又は黒色を選択的に表示可能なツイストボール方式，粉体移動方式等の画像表示材料も用いることができる。その場合、カラーフィルタやカラー反射層と組み合わせることにより、カラー表示を行うことができる。
尚、実施の形態１乃至６の記録媒体１〜１ｅでは、媒体本体２の表裏に電荷が溜まった状態で保持されるので、電界をかけた状態でのみ配列方向が変化する液晶材料を画像表示材料として用いた場合でも、無電限で画像を表示することができ、画像表示材料の選択の幅を広げることができる。
【００８３】
（実施の形態７）
本発明の実施の形態７における記録媒体について、以下図面を参照しながら説明する。尚、実施の形態２と同様のものには同一の符号を付して説明を省略する。
図１０（ａ）は実施の形態７における記録媒体を示す要部模式平面図であり、図１０（ｂ）は図１０（ａ）のＢ−Ｂ線矢視模式断面図であり、図１１は図１０（ａ）のＣ−Ｃ線矢視模式断面図ある。
図１０及び図１１において、実施の形態７における記録媒体１ｆが、実施の形態２と異なるのは、媒体本体２に表示原色で着色されたカラー表示可能な画像表示材料２ａを封入する代わりに、透過型のネマティック液晶やスメクティック液晶等の液晶材料を用いた液晶方式或いは白色又は黒色を選択的に表示可能なツイストボール方式，電気泳動方式，粉体移動方式等の白黒表示可能な画像表示材料を封入し、加法混色法における三原色（Ｒ，Ｇ，Ｂ）が縞模様状に配置されたカラーフィルタ２ｂを組み合わせた点と、電荷注入部３ａの表面に抵抗層３ｂが形成されている点と、上部電極４の端部から直交するように略Ｌ字型の電荷注入部４ｂを延設して形成し、下部電極３に延設されて形成された電荷注入部３ａと共に媒体本体１ｆの一辺側に並ぶように配置した点と、電極保護層５ａ，５ｂの表面に画像保護層１２ａ，１２ｂが覆設され、それらが導通部１２ｃで電気的に接続されている点である。
【００８４】
抵抗層３ｂの膜厚を１０μｍ〜１００μｍとして抵抗を１０12Ω・ｃｍ〜１０14Ω・ｃｍ程度とすることにより、電荷注入部３ａを抵抗層３ｂで覆った状態でも、印字ヘッド２０から電子やイオンを照射して電荷を注入することができることがわかった。この抵抗層３ｂは電荷注入部４ｂの表面にも同様に形成することができる。
画像保護層１２ａ，１２ｂには、ＩＴＯで形成した透明な電極を保護膜で覆ったものを用い、それらを導通部１２ｃで接続することにより、いずれか一方の画像保護層１２ａ，１２ｂが高電位になることを防いだ。画像表示領域ｗ外の領域にある電荷注入部３ａ，４ｂから電荷を注入できるので、画像保護層１２ａ，１２ｂがあっても画像を形成することができる。
尚、画像保護層１２ａ，１２ｂは、静電気などの外部からの電荷の作用を遮断して画像の乱れを防止できるものであればよいので、１０5Ω・ｃｍより低い抵抗値を有する抵抗層で形成してもよい。
【００８５】
実施の形態７における記録媒体を用いた画像形成方法は、実施の形態２と同様であるので、説明を省略する。
尚、実施の形態７の記録媒体１ｆには、電荷注入部３ａ，４ｂに対向させて放電電極８を設けて実施の形態３，４と同様の構成とすることや、さらに放電電極加熱部１１を設けて実施の形態５，６と同様の構成とすることも可能である。
また、抵抗層３ｂは実施の形態１乃至６の記録媒体１〜１ｅの電荷注入部３ａや電荷注入部４ｂの表面にも同様に形成することができ、画像保護層１２ａ，１２ｂ及び導通部１２ｃも実施の形態１乃至６の記録媒体１〜１ｅに設けることができる。
【００８６】
実施の形態７の記録媒体は以上のように構成されているので、実施の形態２と同様の作用に加え、以下の作用を有する。
（１）下部電極３及び上部電極４の端部にそれぞれ形成された２箇所の電荷注入部３ａ，４ｂが、媒体本体２の一辺側に並んで配置されているので、電荷注入部３ａ，４ｂに電荷の注入を行う印字ヘッド２０，２０ａを一列に並べて配置することができ、画像形成装置のコンパクト化を図ることができる。
（２）電荷注入部３ａの表面に形成された抵抗層３ｂにより、電荷注入部３ａへの汚れの付着や劣化を防止して耐久性を向上させることができる。
（３）下部電極３が透明に形成され、媒体本体２にカラーフィルタ２ｂが積層されていることにより、媒体本体２に封入される画像表示材料に着色する必要がなく生産性に優れ、透明な下部電極３が形成された面を表示面としてカラー画像を表示することができる。
【００８７】
（実施の形態８）
本発明の実施の形態８における記録媒体について、以下図面を参照しながら説明する。尚、実施の形態２と同様のものには同一の符号を付して説明を省略する。
図１２（ａ）は実施の形態８における記録媒体を示す要部模式平面図であり、図１２（ｂ）は図１２（ａ）のＤ−Ｄ線矢視模式断面図であり、図１２（ｃ）は図１２（ａ）のＥ−Ｅ線矢視模式断面図である。
図１２において、実施の形態８における記録媒体１ｇが、実施の形態２と異なるのは、各々の上部電極４から直交するように形成された電荷注入部４ｂが、下部電極３に延設されて形成された電荷注入部３ａと対向する側の辺に配置されている点である。
尚、図１１中、１３は上部電極４に覆設された絶縁膜、１３ａは各々の上部電極４と電荷注入部４ｂを接続部４ｃを介して接続するために絶縁膜１３に形成された接続用開口部である。
【００８８】
実施の形態７の記録媒体１ｆに比べて画像表示領域ｗ外の領域が狭く、記録媒体１ｇ自体をコンパクト化することができ、取り扱い性に優れる。
実施の形態８における記録媒体を用いた画像形成方法は、実施の形態２と同様であるので、説明を省略する。
尚、実施の形態８の記録媒体１ｇには、電荷注入部３ａ，４ｂに対向させて放電電極８を設けて実施の形態３，４と同様の構成とすることや、さらに放電電極加熱部１１を設けて実施の形態５，６と同様の構成とすることも可能である。
【００８９】
実施の形態８の記録媒体は以上のように構成されているので、実施の形態２と同様の作用に加え、以下の作用を有する。
（１）下部電極３に接続された電荷注入部３ａと、上部電極４に接続された電荷注入部４ｂが、媒体本体２の外周側の対向する二辺に対称に配置されているので、記録媒体１ｆの裏表を気にすることなく使用することができ、取り扱い性に優れる。
【００９０】
（実施の形態９）
本発明の実施の形態９における記録媒体について、以下図面を参照しながら説明する。尚、実施の形態２と同様のものには同一の符号を付して説明を省略する。
図１３（ａ）は実施の形態９における記録媒体を示す要部模式平面図であり、図１３（ｂ）は図１３（ａ）のＦ−Ｆ線矢視模式断面図であり、図１３（ｃ）は図１３（ａ）のＧ−Ｇ線矢視模式断面図である。
図１３において、実施の形態９における記録媒体１ｈが、実施の形態２と異なるのは、下部電極３及び上部電極４のそれぞれの両端に電荷注入部３ａ及び電荷注入部４ｂが形成されている点と、電極保護層５ａ側にＰＴＣ抵抗体で形成された媒体加熱層１４が積層され、媒体加熱層１４（ＰＴＣ抵抗体）に電力を供給するための電力供給用電極１４ａが形成されている点である。
【００９１】
次に、媒体加熱層について説明する。
図１４は媒体加熱層を示す要部模式平面図である。
媒体本体２に封入された画像表示材料が、加熱により画像が消去するタイプのものである場合に、図１４に示すように、電力供給用電極１４ａに通電するだけで簡便かつ確実に画像を消去することができる。電力供給用電極１４ａのパターンは、媒体加熱層１４に通電して発熱させることができればよいので、本実施の形態に限定されるものではなく、その形状や配置は適宜、選択することができる。
尚、画像表示材料が、加熱により画像が消去するタイプのものではない場合は、下部電極３ａと上部電極４ｂとの間を電極短絡部（図示せず）で短絡させるだけで、短時間で画像を消去することができる。
【００９２】
実施の形態９における記録媒体を用いた画像形成方法は、下部電極３及び上部電極４のそれぞれについて、いずれか１つの電荷注入部３ａ，４ｂを選択して電荷を注入する以外は実施の形態２と同様であるので、説明を省略する。
下部電極３ａ及び上部電極４ｂの両端部にそれぞれ電荷注入部３ａ，４ｂが形成されているので、記録媒体１ｈの向きを気にせずに使用することができ、取扱い性、汎用性に優れる。
尚、実施の形態９の記録媒体１ｈには、電荷注入部３ａ，４ｂに対向させて放電電極８を設けて実施の形態３，４と同様の構成とすることや、さらに放電電極加熱部１１を設けて実施の形態５，６と同様の構成とすることも可能である。
【００９３】
実施の形態９の記録媒体は以上のように構成されているので、実施の形態２と同様の作用に加え、以下の作用を有する。
（１）下部電極３の両端部に接続された２つの電荷注入部３ａと、上部電極４の両端部に接続された２つの電荷注入部４ｂが、媒体本体２の外周側の四辺に１箇所ずつ配置されているので、各々の電荷注入部３ａ，４ｂに電荷の注入を行う印字ヘッド２０などを電荷注入部３ａ，４ｂの配置に合わせて媒体本体２の外周側に配置することができ、放熱性に優れる。
（２）媒体本体２に積層された媒体加熱層１４を有することにより、媒体本体２に封入された画像表示材料が、加熱により画像が消去するタイプのものである場合に、画像形成装置にヒータなどの特別な画像消去手段を設けることなく、電力供給用電極１４ａに通電するだけで簡便かつ確実に画像を消去することができ、画像形成装置の機構を簡素化することができ取扱い性に優れる。
【産業上の利用可能性】
【００９４】
本発明は上記課題を解決するもので、電荷の作用により画像の書き込みや消去が可能な媒体本体を挟むように媒体本体の両面に電極を形成する記録媒体において、下部電極又は上部電極の少なくともいずれか一方を媒体本体と離間させて配置することにより、下部電極又は上部電極に注入された電荷の作用によって、媒体本体と電荷が注入された下部電極又は上部電極との間で選択的に放電を発生させることができ、下部電極又は上部電極に選択的に注入された電荷が、隣接する電荷が注入されていない下部電極や上部電極に作用することがなく、クロストークの発生を確実に防止することができ、滲みのない高品質な画像を形成することができる画像品質の信頼性に優れた記録媒体の提供を行って、静電現像方式の記録媒体の普及を図ることができる。
【図面の簡単な説明】
【００９５】
【図１】実施の形態１における記録媒体を示す部分破断模式斜視図
【図２】実施の形態１における記録媒体の媒体本体を示す模式平面図
【図３】実施の形態１における記録媒体を示す模式平面図
【図４】実施の形態１における記録媒体を用いた画像形成方法を示す要部模式断面図
【図５】実施の形態２における記録媒体を用いた画像形成方法を示す要部模式断面図
【図６】実施の形態３における記録媒体を用いた画像形成方法を示す要部模式断面図
【図７】実施の形態４における記録媒体を用いた画像形成方法を示す要部模式断面図
【図８】実施の形態５における記録媒体を用いた画像形成方法を示す要部模式断面図
【図９】実施の形態６における記録媒体を用いた画像形成方法を示す要部模式断面図
【図１０】（ａ）実施の形態７における記録媒体を示す要部模式平面図（ｂ）図１０（ａ）のＢ−Ｂ線矢視模式断面図
【図１１】図１０（ａ）のＣ−Ｃ線矢視模式断面図
【図１２】（ａ）実施の形態８における記録媒体を示す要部模式平面図（ｂ）図１２（ａ）のＤ−Ｄ線矢視模式断面図（ｃ）図１２（ａ）のＥ−Ｅ線矢視模式断面図
【図１３】（ａ）実施の形態９における記録媒体を示す要部模式平面図（ｂ）図１３（ａ）のＦ−Ｆ線矢視模式断面図（ｃ）図１３（ａ）のＧ−Ｇ線矢視模式断面図
【図１４】媒体加熱層を示す要部模式平面図
【符号の説明】
【００９６】
１，１ａ，１ｂ，１ｃ，１ｄ，１ｅ，１ｆ，１ｇ，１ｈ  記録媒体
２  媒体本体
２ａ  画像表示材料
２ｂ  カラーフィルタ
３  下部電極
３ａ，４ｂ  電荷注入部
３ｂ  抵抗層
３Ａ  スペーサ
３Ｂ  放電空間
４  上部電極
４ａ  電極端子
４ｃ  接続部
５ａ，５ｂ  電極保護層
６  媒体側電圧制御用ＩＣ
７  スペーサ
７ａ  放電空間
８  放電電極
９  放電制御電圧入力用端子
１０  放電電極保護層
１１  放電電極加熱部
１１ａ  加熱部保護層
１２ａ，１２ｂ  画像保護層
１２ｃ  導通部
１３  絶縁膜
１３ａ  接続用開口部
１４  媒体加熱層
１４ａ  電力供給用電極
１５，１５ａ，１５ｂ，１５ｃ，１５ｄ，１５ｅ  画像形成装置
１６  媒体載置部
２０，２０ａ  印字ヘッド
２１  媒体側電圧制御部
２５，２５ａ  放電制御電圧印加部
３０，３０ａ  加熱手段
【図１】
2008165073.tif 000003
【図２】
2008165073.tif 000004
【図３】
2008165073.tif 000005
【図４】
2008165073.tif 000006
【図５】
2008165073.tif 000007
【図６】
2008165073.tif 000008
【図７】
2008165073.tif 000009
【図８】
2008165073.tif 000010
【図９】
2008165073.tif 000011
【図１０】
2008165073.tif 000012
【図１１】
2008165073.tif 000013
【図１２】
2008165073.tif 000014
【図１３】
2008165073.tif 000015
【図１４】
2008165073.tif 000016